(57)【特許請求の範囲】
【請求項１】
塵埃を吸引する下方開口の開口部を有する集塵室と、前記集塵室に連通し前記塵埃の流路である塵埃通路とを備え、前記集塵室を形成する前壁の下端は前記前壁より前方に向かって突出する略Ｌ字状部とするとともに、前記略Ｌ字状部の最前部は、吸込口体本体の最前部以内に位置する構成とし、吸込口体を前後方向から見て、前記Ｌ字状部が凹凸形状となるように窪み部Ａと、吸込口体を上下方向から見て、前記Ｌ字状部が凹凸形状となるように窪み部Ｂを形成し、前記窪み部Ａと窪み部Ｂを同一位置に形成した電気掃除機用吸込口体。
【請求項２】
塵埃吸引用の電動送風機を有し、請求項１に記載の電気掃除機用吸込口体と連通するように接続される接続口を備えた電気掃除機。
【発明の詳細な説明】
【０００１】
【発明の属する技術分野】
本発明は、電気掃除機用吸込口体及びそれを用いた電気掃除機に関するものである。
【０００２】
【従来の技術】
以下に従来の電気掃除機用吸込口体及びそれを用いた電気掃除機の構成を図８〜図１２を用いて説明する。
【０００３】
まず、電気掃除機の全体構成を図８を用いて説明すると、吸込口体３１には接続パイプ３２を介して延長管３３が接続され、延長管３３の他端には手元操作部３４が接続され、手元操作部３４の後方にはホース３５が接続され、ホース３５の他端は掃除機本体３６の接続口３６ｂに接続されていて、掃除機本体３６に内設された吸引風を発する電動送風機３６ａに連通する塵埃通路（図示せず）をそれぞれ内部に形成している。
【０００４】
次に、図９〜図１２にて、吸込口体３１の構成を説明すると、吸込口体３１には、塵埃を吸引する開口部３７を有する集塵室３７ａに連通し、吸込口体３１に保持された接続パイプ３２を配している。また、集塵室３７ａ内には、塵埃かき上げ体として複数のブラシ３８を有する回転ブラシ３９を配し、この回転ブラシ３９は、モーター（図示せず）からベルト（図示せず）を介して回転力を伝達され、回転する構成となっている。また、吸込口体３１の支持体として、開口部３７の前方には、左右一対で吸込口体３１へ固定された固定起毛布４０と、吸込口体３１の後端には、吸込口体３１へ回転自在に固定された回転ローラー４１を配している。また、集塵室３７ａを構成する吸込口体の壁の一つである前壁４２は、略垂直方向に立ち上がっており、前壁４２の下端は、後方に向かって湾曲し開口部３７を形成している。ここで、前壁４２には、吸込口体３１を前後方向から見て凹凸となる窪み部４３を形成していると共に、前壁４２の下端は、固定起毛布の取付部下端４４と略同一高さに形成している。また、前壁４２の上方には、壁面保護用のエラストマーを材質とする緩衝体４５を配し、緩衝体４５の最前部は、前壁４２の最前部より前方に配している。
【０００５】
上記構成により、吸込口体３１は、左右一対の固定起毛布４０と回転ローラー４１により支持され、掃除機本体３６より吸引がかかると、被掃除面の塵埃は回転ブラシ３９が回転することでかき上げられ、接続パイプ３２、延長管３３、ホース３５を介して掃除機本体３６に吸引される。
【０００６】
【発明が解決しようとする課題】
このような従来の電気掃除機用吸込口体及びそれを用いた電気掃除機では、窪み部４３を形成しているため、壁際の塵埃もある程度は除去可能であるが、吸込口体３１の集塵室３７ａを形成する前壁４２は、前記前壁４２の下端を開口部３７方向に向かって湾曲する構成としているため、前壁４２から開口部３７までを比較的広くする必要があり、結果として、緩衝体４５の最前部から開口部３７までが広くなり、壁際の塵埃をクッキリと除去できなかった。従来例においては、前壁４２にて述べたが、側方および後方を形成する壁についても前壁４２と同じように、開口部３７方向に向かって湾曲する構成としているため、壁際の塵埃をクッキリと除去できなかった。
【０００７】
本発明は、以上のような従来の課題を解決しようとするものであって、壁際の集塵性の良い電気掃除機用吸込口体及びそれを用いた電気掃除機を提供することを目的としている。
【０００８】
【課題を解決するための手段】
上記目的を達成するために本発明は、塵埃を吸引する下方開口の開口部を有する集塵室と、前記集塵室に連通し前記塵埃の流路である塵埃通路とを備え、前記集塵室を形成する前壁の下端は前記前壁より前方に向かって突出する略Ｌ字状部とするとともに、前記略Ｌ字状部の最前部は、吸込口体本体の最前部以内に位置する構成とし、吸込口体を前後方向から見て、前記Ｌ字状部が凹凸形状となるように窪み部Ａと、吸込口体を上下方向から見て、前記Ｌ字状部が凹凸形状となるように窪み部Ｂを形成し、前記窪み部Ａと窪み部Ｂを同一位置に形成した電気掃除機用吸込口体で、集塵室を形成する前壁の下端は前記前壁より前方に向かって突出する略Ｌ字状部とした構成により、壁際を掃除する時に、吸込口体の外壁と開口部を近づけることができるため、壁際の集塵性が向上すると共に、前壁の下端を前方に向かって突出するＬ字状部としたことで、開口部周辺に吸込口体と被掃除面との接触面を確保でき、被掃除面、特に絨毯面との摩擦低減用のＲ形状部を形成することも可能であり、吸込口体の操作性も維持することができる。
【０００９】
【発明の実施の形態】
本発明の請求項１記載の発明は、塵埃を吸引する下方開口の開口部を有する集塵室と、前記集塵室に連通し前記塵埃の流路である塵埃通路とを備え、前記集塵室を形成する前壁の下端は前記前壁より前方に向かって突出する略Ｌ字状部とするとともに、前記略Ｌ字状部の最前部は、吸込口体本体の最前部以内に位置する構成とし、吸込口体を前後方向から見て、前記Ｌ字状部が凹凸形状となるように窪み部Ａと、吸込口体を上下方向から見て、前記Ｌ字状部が凹凸形状となるように窪み部Ｂを形成し、前記窪み部Ａと窪み部Ｂを同一位置に形成した電気掃除機用吸込口体で、集塵室を形成する前壁の下端は前記前壁より前方に向かって突出する略Ｌ字状部とした構成により、壁際を掃除する時に、吸込口体の外壁と開口部を近づけることができるため、壁際の集塵性が向上すると共に、前壁の下端を前方に向かって突出するＬ字状部としたことで、開口部周辺に吸込口体と被掃除面との接触面を確保でき、被掃除面、特に絨毯面との摩擦低減用のＲ形状部を形成することも可能であり、吸込口体の操作性も維持することができる。
【００１０】
本発明の請求項２記載の発明は、塵埃吸引用の電動送風機を有し、請求項１に記載の電気掃除機用吸込口体と連通するように接続される接続口を備えた電気掃除機で、被掃除面の傷付きの防止と操作性を確保しつつ壁際の集塵性の良い吸込口体を使用することで、掃除作業性を向上できる。
【００１１】
【実施例】
（実施例１）
以下に本発明の第１の実施例を、図１〜図６を用いて説明する。
【００１２】
まず、電気掃除機の全体構成を図１を用いて説明すると、吸込口体１には接続パイプ２を介して延長管３が接続され、延長管３の他端には手元操作部４が接続され、手元操作部４の後方にはホース５が接続され、ホース５の他端は掃除機本体６の接続口６ｂに接続されていて、掃除機本体６に内設された吸引風を発する電動送風機６ａに連通する塵埃通路（図示せず）をそれぞれ内部に形成している。
【００１３】
次に、吸込口体１の構成を説明すると、塵埃を吸引する開口部７を有する集塵室７ａを形成する吸込口体１の本体１ｂと、前記集塵室７ａに連通し、吸込口体１の本体１ｂに保持され、内部に塵埃通路２ａを有する接続パイプ２から吸込口体１は構成されている。ここで、接続パイプ２は、吸込口体１の本体１ｂを壁際等に沿って移動させ易いように、吸込口体１の本体１ｂの集塵室７ａを形成する壁部である前壁８に対して略平行になるまで回動するクルット機構を有している。また、集塵室７ａ内には、塵埃かき上げ体として複数のブラシ９を有する回転ブラシ１０を配し、この回転ブラシ１０は、モーター（図示せず）からベルト（図示せず）を介して回転力を伝達され、回転する構成となっている。また、開口部７の前方には、左右一対で吸込口体１へ固定された固定起毛布１１と、開口部７の後方には、左右一対で吸込口体１へ固定された固定起毛布Ａ１２と、吸込口体１の本体１ｂ後方には、吸込口体１へ回転自在に固定された起毛布ローラー１３を配している。ここで、固定起毛布１１は、吸込口体１の前壁８から下面１５にかけて略Ｌ字状に湾曲させていると共に、固定起毛布１１には、吸込口体１の前後方向と一致し、前方から後方にかけて倒れる方向に倒伏加工を施している。
【００１４】
また、固定起毛布１１の下端１６は、固定起毛布Ａ１２の下端１７と起毛布ローラー１３の下端１８を結ぶ稜線よりも上方に配している。また、吸込口体１の本体１ｂの下面を形成する下部枠体１ａの前壁８の下端には、前方に向かって略Ｌ字状に湾曲するＬ字状部１９により、開口部７を形成している。また、Ｌ字状部１９には、吸込口体１を前後方向から見て凹凸となる窪み部Ａ２０及び吸込口体１を上下方向から見て凹凸となる窪み部Ｂ２１を同一位置に形成している。ここで、窪み部Ａ２０の大きさは、幅１０ｍｍ以下かつ深さ１ｍｍ以上としており、窪み部Ａ２０及び窪み部Ｂ２１は共に、なだらかに湾曲する形状としている。
【００１５】
また、Ｌ字状部１９の下端を固定起毛布１１の取付部下端２２より上方に配しており、Ｌ字状部１９は、ブラシ９と略同一幅に形成している。また、前壁８の上方には、壁面保護用のエラストマーを材質とする緩衝体２３を配して吸込口体１の本体１ｂを形成し、Ｌ字状部１９の最前部は、緩衝体２３の最前部と同一がそれより後方に配している。また、緩衝体２３の前面には、突出部２４を形成している。
【００１６】
上記構成により、吸込口体１は、左右一対の固定起毛布Ａ１１と起毛布ローラー１３により支持され、掃除機本体６より吸引がかかると、被掃除面の塵埃は回転ブラシ１０が回転することでかき上げられ、接続パイプ２、延長管３、ホース５を介して掃除機本体６に吸引される。
【００１７】
このように、Ｌ字状部１９を形成することで、吸込口体１の前壁８の下端の前後幅を確保でき、被掃除面、特に絨毯面との摩擦低減用のＲ形状部３０を形成することも可能であり、吸込口体１の操作性も維持することができる。また、壁際を掃除する時に、窪み部Ｂ２１を形成することで増した前壁８への流入気流が直接窪み部Ａ２０へ流入し、窪み部Ａ２０の近傍の被掃除面の集塵性を向上できる。また、窪み部Ａ２０の大きさは、幅１０ｍｍ以下かつ深さ１ｍｍ以上とすることで、畳の順目方向に掃除をする時には、窪み部Ａ２０での畳の吸着による浮き上がりは約０．５ｍｍであることから、深さを１ｍｍ以上確保すれば、畳と窪み部Ａ２０との間に空間が常に存在するため、操作性を損なわずに集塵性を向上でき、一方、畳の逆目方向に掃除をする時には、畳の折りピッチは約１２ｍｍであることから、幅を１０ｍｍ以下にすれば、窪み部Ａ２０への吸着による畳の入り込みを抑えることができ、操作性を損なわずに集塵性を向上できる。また、窪み部Ａ２０及び窪み部Ｂ２１をなだらかに湾曲する形状とすることで、被掃除面や壁面の傷付きを防止できる。また、Ｌ字状部１９の下端を固定起毛布１１の取付部下端２２より上方に配することで、吸込口体１の前壁８の窪み部Ａ２０はもちろん、窪み部Ａ２０以外の部分についても被掃除面との通気面積が増し、結果的に吸込口体１の前壁８を前後方向に通過する気流が増すことに加えて、吸込口体１の前壁８の下端に形成する被掃除面、特に絨毯面との摩擦低減用の底Ｒ３０を小さくすることが可能となることで、結果として、壁面と開口部７を近づけることができ、壁際の集塵性を向上できると共に、前壁８の下端による被掃除面の傷付きを防止できる。また、Ｌ字状部１９をブラシ９と略同一幅とすることで、ブラシ９により、開口部７内の塵埃をＬ字状部１９近傍まで除去することが可能となり、全体的な集塵性のクッキリ感を出せる。また、Ｌ字状部１９の最前部を緩衝体２３の最前部と同一がそれより後方に配することで、壁面掃除時に、壁面は緩衝体２３と当接することになり、壁面の傷付きを防止できかつ壁面と開口部７が近づいたことで、壁際の集塵性を向上できる。また、緩衝体２３の前面に突出部２９を形成することで、前壁８の上方からも気流が流入することが可能となり、壁際の集塵性を向上できる。また、開口部７の後方に配した固定起毛布Ａ１２と起毛布ローラー１３で吸込口体１を支持することで、開口部７の前方に比較的取り付け面積を必要とする固定起毛布１１の取り付け部を形成する必要がなくなり、Ｌ字状部１９を幅広く形成することが可能となり、壁際の集塵性を向上できる。
【００１８】
なお、上記実施例において、Ｌ字状部１９を２材質成形などで軟質材で形成し、Ｌ字状部１９の最前部を緩衝体２３の最前部と略同一位置に配することで、前壁８の下端による被掃除面の傷付きが防止できることが可能となり、結果として、壁面と開口部７を近づけることができ、壁際の集塵性が向上することができることは明らかである。
【００１９】
（実施例２）
以下に本発明の第２の実施例を、図７を用いて説明する。
【００２０】
なお、上記第１の実施例と同一部品については、同一符号を付し、その説明は省略する。
【００２１】
吸込口体１の本体１ｂの下面を形成する下部枠体１ａの側壁８の下端には、側方に向かって略Ｌ字状に湾曲するＬ字状部４６を形成していて、開口部７とは、吸込口体１が被掃除面に接しても、前記下部枠体１ａに形成した凹部４７を介して連通するよう構成している。
【００２２】
また、壁面保護用のエラストマーを材質とする緩衝体２３を配し吸込口体１の本体１ｂを形成し、Ｌ字状部４６の最突出部は、緩衝体２３の最突出部以内に配している。また、緩衝体２３の前面には、突出部２４を形成している。
【００２３】
このため、Ｌ字状部４６の最突出部を、緩衝体２３の最突出部と同一がそれより内方に配することで、壁面掃除時に、壁面は緩衝体２３と当接することになり、壁面の傷付きを防止できかつ壁面と開口部７が近づいたことで、壁際の集塵性を向上できる。
【００２４】
【発明の効果】
本発明によれば、壁際の集塵性の良い電気掃除機用吸込口体及びそれを用いた電気掃除機を提供できる。
【図面の簡単な説明】
【図１】  本発明の第１の実施例を示す電気掃除機の全体図
【図２】  同吸込口体の正面図
【図３】  同吸込口体の下面図
【図４】  同吸込口体の側面図
【図５】  図２のＡ−Ａ断面図
【図６】  図２のＢ−Ｂ断面図
【図７】  本発明の第２の実施例を示す吸込口体の下面図
【図８】  従来例の電気掃除機の全体図
【図９】  同吸込口体の正面図
【図１０】  同吸込口体の下面図
【図１１】  同吸込口体の側面図
【図１２】  図８のＣ−Ｃ断面図
【符号の説明】
１  吸込口体
１ａ  下部枠体
１ｂ  吸込口体本体
２ａ  塵埃通路
７  開口部
７ａ  集塵室
８  前壁（壁部）
１９  Ｌ字状部
２０  窪み部Ａ
２１  窪み部Ｂ
３０  Ｒ形状部
【図１】
0004040289.tif 000002
【図２】
0004040289.tif 000003
【図３】
0004040289.tif 000004
【図４】
0004040289.tif 000005
【図５】
0004040289.tif 000006
【図６】
0004040289.tif 000007
【図７】
0004040289.tif 000008
【図８】
0004040289.tif 000009
【図９】
0004040289.tif 000010
【図１０】
0004040289.tif 000011
【図１１】
0004040289.tif 000012
【図１２】
0004040289.tif 000013